【手続補正書】
【提出日】平成26年9月3日(2014.9.3)
【手続補正１】
【補正対象書類名】特許請求の範囲
【補正対象項目名】全文
【補正方法】変更
【補正の内容】
【特許請求の範囲】
【請求項１】
第１の方向に長い入射面と、該入射面から入射した光束を前記第１の方向に垂直な第１の断面内で全反射させる第１及び第２の側面と、前記入射面及び前記第１及び第２の側面からの光束を反射させる反射面と、該反射面からの光束が出射する出射面と、を有する導光体であって、
前記第１及び第２の側面は、互いに対向して配置されており、
前記第１の側面と前記出射面とを接続する第３の側面と、前記第２の側面と前記反射面とを接続する第４の側面と、を更に有し、
前記第３及び第４の側面は、前記第１の断面内において前記入射面から離れるに従い互いの間隔が広がるように構成されていることを特徴とする導光体。
【請求項２】
前記反射面及び前記出射面の少なくとも一方は、前記第１の断面内において光束を集光することを特徴とする請求項１に記載の導光体。
【請求項３】
前記第３及び第４の側面は、前記入射面及び前記第１及び第２の側面からの光束を規制しないように構成されていることを特徴とする請求項１又は２に記載の導光体。
【請求項４】
前記第３及び第４の側面は、前記第１の断面内において前記第１及び第２の側面を延長した仮想面の外側に配置されていることを特徴とする請求項１乃至３のいずれか１項に記載の導光体。
【請求項５】
前記反射面及び前記出射面の少なくとも一方は、前記第１の方向において曲率を有する複数のトーリック面を含むことを特徴とする請求項１乃至４のいずれか１項に記載の導光体。
【請求項６】
前記第３の側面は、変曲点を持たないように前記第１の側面に接続していることを特徴とする請求項１乃至５のいずれか１項に記載の導光体。
【請求項７】
前記第３の側面は、変曲点を持つように前記第１の側面に接続していることを特徴とする請求項１乃至５のいずれか１項に記載の導光体。
【請求項８】
前記第４の側面は、変曲点を持たないように前記第２の側面に接続していることを特徴とする請求項１乃至７のいずれか１項に記載の導光体。
【請求項９】
前記第４の側面は、変曲点を持つように前記第２の側面に接続していることを特徴とする請求項１乃至７のいずれか１項に記載の導光体。
【請求項１０】
前記入射面及び前記第１及び第２の側面からの光束が前記反射面を介さずに出射する第２の出射面を有することを特徴とする請求項１乃至９のいずれか１項に記載の導光体。
【請求項１１】
前記反射面及び前記出射面の少なくとも一方は、前記第１の断面内において正のパワーを備えることを特徴とする請求項１乃至１０のいずれか１項に記載の導光体。
【請求項１２】
前記反射面及び前記出射面の少なくとも一方は、前記第１の断面内において円弧又は円弧を近似した多角形の形状を備えることを特徴とする請求項１乃至１１のいずれか１項に記載の導光体。
【請求項１３】
前記第１の断面内において、前記入射面の長さをＷ、前記入射面から前記反射面までの距離をＬ、とするとき、
０＜Ｗ／Ｌ＜０．２
なる条件を満たすことを特徴とする請求項１乃至１２のいずれか１項に記載の導光体。
【請求項１４】
前記第１の断面内において、前記入射面から前記第１及び第３の側面の接点と前記第２及び第４の側面の接点とを結ぶ線分までの距離をＬ１、前記線分から前記反射面までの距離をＬ２、とするとき、
０．１５＜Ｌ２／Ｌ１＜０．８
なる条件を満たすことを特徴とする請求項１乃至１３のいずれか１項に記載の導光体。
【請求項１５】
前記反射面から前記出射面までの距離をＬ３とするとき、
０．５＜Ｌ３／Ｌ２＜２．０
なる条件を満たすことを特徴とする請求項１乃至１４のいずれか１項に記載の導光体。
【請求項１６】
前記第１の方向に配列される複数の光源と、該複数の光源から出射する光束を読取位置に導光する請求項１乃至１５のいずれか１項に記載の導光体と、を備えることを特徴とする照明装置。
【請求項１７】
請求項１６に記載の照明装置と、前記読取位置からの光束を受光する読取手段と、を備えることを特徴とする画像読取装置。
【請求項１８】
前記照明装置を２つ備えており、該２つの照明装置は前記読取位置に対して対称的に配置されていることを特徴とする請求項１７に記載の画像読取装置。
【請求項１９】
前記導光体は、前記入射面及び前記第１及び第２の側面からの光束が前記反射面を介さずに出射する第２の出射面を有し、
前記第２の出射面からの光束を前記読取位置に導光する反射部材を備えることを特徴とする請求項１７に記載の画像読取装置。
【手続補正２】
【補正対象書類名】明細書
【補正対象項目名】０００９
【補正方法】変更
【補正の内容】
【０００９】
上記目的を達成するために、本発明は、第１の方向に長い入射面と、該入射面から入射した光束を前記第１の方向に垂直な第１の断面内で全反射させる第１及び第２の側面と、前記入射面及び前記第１及び第２の側面からの光束を反射させる反射面と、該反射面からの光束が出射する出射面と、を有する導光体であって、前記第１及び第２の側面は、互いに対向して配置されており、前記第１の側面と前記出射面とを接続する第３の側面と、前記第２の側面と前記反射面とを接続する第４の側面と、を更に有し、前記第３及び第４の側面は、前記第１の断面内において前記入射面から離れるに従い互いの間隔が広がるように構成されていることを特徴とする。
【手続補正３】
【補正対象書類名】明細書
【補正対象項目名】００２０
【補正方法】変更
【補正の内容】
【００２０】
（第１の導光部Ｓおよび第２の導光部Ｔ）
照明装置１０３を構成する第１の導光部Ｓおよび第２の導光部Ｔについて、図１で説明する。第１の導光部Ｓは、１次元方向に配列される光源の配列方向（第1の方向）と直交する断面内（第１の断面内）において、光源からの光束を第１の方向に長い入射面である入射部（幅Ｗ）より、後述するくびれ部２に導光する。また、第２の導光部Ｔは、光源の配列方向と直交する断面内において、くびれ部２を通過する入射部からの光束の光路を反射集光部４で折り曲げて、集光機能を備え外部へ出射する出射部(出射面)５に導光する。
【手続補正４】
【補正対象書類名】明細書
【補正対象項目名】００２１
【補正方法】変更
【補正の内容】
【００２１】
第１の導光部Ｓは、光源の配列方向と直交する断面内において、入射部からの光束を全反射させる第１の側面部（第１の側面）１ａと、入射部からの光束を全反射させる第２の側面部（第２の側面）１ｂと、を互いに対向するように有する。そして、第１の側面部１ａおよび第２の側面部１ｂの少なくとも一方で全反射した入射部からの光束と、第１の側面部１ａおよび第２の側面部１ｂを介さずに直接向かう入射部からの光束と、をくびれ部２に重畳して至らしめる。
【手続補正５】
【補正対象書類名】明細書
【補正対象項目名】００２２
【補正方法】変更
【補正の内容】
【００２２】
第２の導光部Ｔは、光源の配列方向と直交する断面内において集光作用を備え、くびれ部から所定距離離れた位置にあって、くびれ部を通過する光束に対して更に広がる光束を全反射させる反射集光部（反射面）４と集光作用を有する出射部５を備える。また第２の導光部Ｔは、くびれ部２から反射集光部４に向かう光束を規制しないように、くびれ部において第１の側面部１ａを外側へ向けて出射部５の側へ接続する第３の側面部（第３の側面）３ａを備える。
【手続補正６】
【補正対象書類名】明細書
【補正対象項目名】００２３
【補正方法】変更
【補正の内容】
【００２３】
更に第２の導光部Ｔは、くびれ部２から反射集光部４に向かう光束を規制しないように、かつ反射集光部４を拡大させるように、くびれ部２において第２の側面部１ｂを外側へ向けて反射集光部４の側へ接続する第４の側面部（第４の側面）３ｂを備える。
【手続補正７】
【補正対象書類名】明細書
【補正対象項目名】００２７
【補正方法】変更
【補正の内容】
【００２７】
第１の側面部１ａのくびれ位置２ａは、第１の側面部１ａと第３の側面部３ａの境界位置であり、第２の側面部１ｂのくびれ位置２ｂは、第２の側面部１ｂと第４の側面部３ｂの境界位置である。本実施形態では、くびれ部位置２ａ、２ｂにおいて、第１の側面部１ａおよび第２の側面部１ｂの平面から、第３の側面部３ａおよび第４の側面部３ｂの曲面へ変曲点をもたずに連続的に外側へ広がるように接続されている（即ち、第１の断面内で、第３の側面部３ａおよび第４の側面部３ｂは、入射部（入射面）から離れるに従い、互いの間隔が広がるように構成される）。変曲点をもたずに連続的に接続されることで、プラスチック等の光学合成樹脂部材で導光体を形成する場合に、成型が容易となる。